(57)【特許請求の範囲】
【請求項１】
自然エネルギーを運動エネルギーに変換して駆動力を発生する駆動力発生手段と、
前記駆動力発生手段の駆動力により作動して発電する発電手段と、
前記発電手段の出力側に設けられ、前記発電手段の作動を制御するコントローラの異常時に、前記発電手段の出力側を短絡状態に切り替える短絡手段と、
を有する電源装置を備えた発電装置であり、
前記電源装置は、
前記短絡手段が、無励磁作動型であり、
前記駆動力発生手段が、前記自然エネルギーにより回転することで前記駆動力を発生する回転部材と、前記発電手段への前記駆動力の伝達と遮断とを切替えるクラッチとを有し、
前記クラッチが、無励磁時に前記伝達状態に切替わるものであり、前記コントローラの異常時に伝達状態となり、
手動操作によって、摩擦力により駆動力発生手段を停止させる停止手段をさらに有することを特徴とする電源装置を備えた発電装置。
【発明の詳細な説明】
【技術分野】
【０００１】
本発明は、風力エネルギー等の自然エネルギーを電気エネルギーに変換して各種機器の電力とする電源装置およびそれを備えた発電装置に関するものである。
【背景技術】
【０００２】
温暖化や環境破壊の原因の一つとなる石油、石炭などの燃焼による発電に代わり、風力や水力等の自然エネルギーを利用した発電が盛んになってきている。例えば、風力を利用する風力発電装置は、風車の回転を制御する制御器や、風車の回転力を電力に変えて発電する発電機などを有しており、風車を回転させ、その回転力を電力に変換することで、家庭内などに電力を供給している。これまでに、かかる発電装置にセンサを設け、発電装置の近傍に物体が侵入した場合、センサが感知して風車を停止させる安全性を設けた発電装置がある（特許文献１）。
【０００３】
【特許文献１】特開平２００３−２１０４６
【発明の開示】
【発明が解決しようとする課題】
【０００４】
しかしながら、特許文献１に記載されている発電装置は、部品の破損等によって発電装置自体が故障し、センサ等が動作しなくなってしまう場合、風車を停止させることができなくなってしまう。さらに、故障により風車の回転を制御することができないため、台風など強風の場合には、勢いよく風車が回転し、風車の部品が飛散するおそれがあり危険である。
【０００５】
そこで、本発明の目的は、異常時における危険を回避することができる電源装置およびそれを備えた発電装置を提供することである。
【課題を解決するための手段及び効果】
【０００６】
本発明は、自然エネルギーを運動エネルギーに変換して駆動力を発生する駆動力発生手段と、駆動力発生手段の駆動力により作動して発電する発電手段と、発電手段の出力側に設けられ、異常時に発電手段の出力側を短絡状態に切り替える短絡手段とを有している。
【０００７】
この構成によると、異常時に発電手段の出力側を短絡状態にすることによって駆動力発生手段を停止させることができる。このため、異常時に駆動力発生手段を制御できなくなることに伴う危険を回避することができる。例えば、自然エネルギーの一種である風力により風車を回転させて、その回転エネルギーを利用して発電する場合、異常時に風車を停止させることができるため、強風時に異常をきたした場合に、風車が破損して、部材が飛散する等の危険を回避することができる。
【０００８】
本発明の短絡手段が、無励磁作動型であることが好ましい。これによると、短絡手段は、無励磁に作動する。異常時には、短絡手段を制御する制御機器等は短絡手段に信号を送ることができないため、短絡手段は無励磁状態となり、作動する。従って、構造を簡単にすることができる。
【０００９】
本発明の駆動力発生手段が、自然エネルギーにより回転することで駆動力を発生する回転部材と、発電手段への駆動力の伝達と遮断とを切替えるクラッチとを有していることが好ましい。これによると、回転により駆動力を発生させるため、他の構造に比べて、構造が簡単になる。
【００１０】
この場合、クラッチが、無励磁時に伝達状態に切替わることが好ましい。これによると、無励磁時に回転部材と発電機とが接続され、且つ、短絡手段が作動するため、異常時に回転部材を停止させることができる。
【００１１】
本発明は、手動操作によって、摩擦力により駆動力発生手段を停止させる停止手段を備えていることが好ましい。この構成によると、確実に駆動力発生手段を停止させることができる。
【００１２】
本発明は、上記の電源装置が発電装置に備えられている。これにより、例えば、自然エネルギーの変動が大きな環境下においても、発電装置を好適に使用することができる。
【発明を実施するための最良の形態】
【００１３】
本発明の好適な実施形態を図１ないし図３に基づいて以下に説明する。
【００１４】
本発明の一実施形態に係る風力発電装置は、自然エネルギーの一種である風力エネルギーを電気エネルギーからなる交流電力に変換して出力する風力発電装置本体１と、風力発電装置本体１の制御機能や交流電力の直流電力への整流機能等を備えたコントローラ２と、風力発電装置の動作状態や設定状態等を切替え可能に表示する操作表示器３と、コントローラ２において整流された直流電力を充電するバッテリ４と、バッテリ４に充電された電力を交流電力に変換して外部負荷６に供給するインバータ５と、バッテリ４に対して補助電力を供給する補助充電器７とを有している。
【００１５】
上記の風力発電装置本体１は、図２に示すように、風力に応じた回転駆動力を発生する風車１１を有している。風車１１（駆動力発生手段）は、風を受ける複数枚の風車羽根１２（回転部材）と、これらの風車羽根１２を水平方向に旋回させるように支持した旋回支持部材１３と、旋回支持部材１３の回転中心を支持した回転支持機構１４とを有している。回転支持機構１４は、鉛直方向に立設されており、旋回支持部材１３の回転中心に上端部が連結された第１回転軸部材１５（回転部材）と、第１回転軸部材１５に回転軸クラッチ１６を介して連結された第２回転軸部材１７とを有している。
【００１６】
上記の第１回転軸部材１５には、回転速度検出器１８が設けられている。回転速度検出器１８は、エンコーダからなっており、第１回転軸部材１５の回転速度（単位時間当たりの回転数）に応じたパルス数の回転速度信号を出力するようになっている。尚、回転速度検出器１８は、旋回支持部材１３の側面に磁石や反射板等の検出対象物を取り付け、この検出対象物を検出する毎にパルス状の回転速度信号を出力するように構成されていても良い。
【００１７】
また、回転軸部材１５・１７間に介装された回転軸クラッチ１６は、無励磁作動型の構成にされている。具体的には、回転軸クラッチ１６は、２枚のクラッチ板１６ａ・１６ａと、クラッチ板１６ａ・１６ａ同士を接合させるように付勢する図示しないバネ部材と、バネ部材の付勢力に対して逆方向の電磁力を発生するコイル部材１６ｂとを有している。これにより、クラッチ作動電流が供給されていない場合は、クラッチ板１６ａ・１６ａ同士がバネの付勢力で強固に接合（連結）されることによって、第１回転軸部材１５の回転駆動力を第２回転軸部材１７に十分に伝達させるようになっている。また、クラッチ作動電流が供給されている場合は、電流値に応じた電磁力により付勢力の作用を減少させることによって、クラッチ板１６ａ・１６ａ同士の接合力を弱め、電磁力が付勢力以上となったときに、クラッチ板１６ａ・１６ａ同士を離隔させるようになっている。
【００１８】
上記の回転軸クラッチ１６を介して回転駆動力が伝達される第２回転軸部材１７には、三相交流方式等の発電機１９（発電手段）が設けられている。発電機１９は、第２回転軸部材１７の回転速度に応じた交流電力を出力するようになっている。発電機１９の出力側には、短絡制動装置２１（短絡手段）が接続されている。
【００１９】
ここで、短絡制動装置２１について説明する。短絡制動装置２１は、短絡用リレー２２を有している。短絡用リレー２２は、３つのリレー接点を有しており、発電機１９の各端子接続されている。短絡用リレー２２は、短絡駆動部４３からの通電によりスイッチ部を開状態とし、短絡駆動部４からの通電が停止されたときにスイッチ部を閉状態とすることによって、コントローラ２の故障等の異常時に発電機１９の出力側が短絡するようになっている。スイッチ部を閉状態とすることにより、短絡制動装置２１は、発電機１９に大きな負荷を発生させることよって、風車羽根１２の回転を停止させるようになっている。
【００２０】
さらに、第２回転軸部材１７の下端部には、回転支持機構１４を手動操作で固定する停止装置２０（停止手段）が設けられている。停止装置２０は、第２回転軸部材１７に取り付けられた環状部材２０ａと、環状部材２０ａの外周面に接離可能に設けられた押圧部材２０ｂとを有している。押圧部材２０ｂは、一部が図示しない架台や敷地面等の固定部に設置されている。そして、停止装置２０は、押圧部材２０ｂを手動操作で環状部材２０ａに押し付けることによって、大きなブレーキ力により第２回転軸部材１７を固定し、結果として回転支持機構１４の回転を完全に停止するようになっている。尚、停止装置２０は、後述の操作表示器３の操作指示により自動で作動するように構成されていても良い。
【００２１】
上記のように構成された風力発電装置本体１は、コントローラ２に接続されている。コントローラ２は、図１に示すように、風力発電装置を制御する制御部３１と、風力発電装置本体１の発電機１９から出力された交流電力を直流電力に整流する整流部３２とを有している。制御部３１は、回転速度入力部４１とクラッチ駆動部４２と短絡駆動部４３とを有している。これらの各部４１〜４３は、上述の風力発電装置本体１における回転速度検出器１８と回転軸クラッチ１６と短絡制動装置２１とにそれぞれ接続されている。
【００２２】
回転速度入力部４１は、回転速度検出器１８からの回転速度信号を信号処理に適した信号形態に変換する機能を有している。クラッチ駆動部４２は、回転軸クラッチ１６にクラッチ駆動信号を出力することによって、回転軸クラッチ１６を作動状態を制御、即ち、図２の第１回転軸部材１５と第２回転軸部材１７との連結力を弱めたり、解消するように制御する機能を有している。短絡駆動部４３は、通常動作時に短絡制動装置２１の短絡用リレー２２に駆動信号を出力することによって、異常時に発電機１９を短絡状態にさせる機能を有している。
【００２３】
また、コントローラ２は、補助充電作動部４４と充電制御駆動部４５とインバータＯＮ／ＯＦＦ駆動部４６と操作表示入出力部４７とを有していると共に、各部４１〜４７を監視および制御する演算処理部５１を有している。尚、演算処理部５１の詳細については後述する。補充充電作動部４４は、図示しない補助充電器と、商業用や工業用の電源７１とに接続されており、バッテリ４が風力発電装置本体１から充分に充電されないときに作動し、バッテリ４に補助電力を充電する
【００２４】
上記の補助充電器７により補助的に充電されるバッテリ４は、図１に示すように、コントローラ２の整流部３２にも接続されている。整流部３２は、風力発電装置本体１の発電機１９からの交流電力を直流電力に変換してバッテリ４に充電するように構成されている。
【００２５】
即ち、整流部３２は、図２に示すように、発電機１９に接続されたブリッジダイオード３３と、ブリッジダイオード３３のアノード側およびカソード側に並列接続された充電コンデンサ３４と、充電コンデンサ３４よりも下流側であってブリッジダイオード３３と同方向に並列接続されたダイオード３５と、充電コンデンサ３４とダイオード３５との間に設けられ、電流の通過と遮断とを切替え制御する充電制御部３６と、ダイオード３５よりも下流側に設けられたコイル３７とを有している。上記の充電制御部３６は、トランジスタ等の半導体スイッチからなっており、図１の充電制御駆動部４５に接続されている。充電制御駆動部４５は、充電制御信号を出力することによって、ブリッジダイオード３３からダイオード３５への通電時間を制御するようになっている。そして、このように構成された整流部３２は、バッテリ４およびインバータ５に接続されており、充電制御部３６で制御された通電時間に応じた充電電圧の電力をバッテリ４に充電するようになっている。
【００２６】
また、整流部３２は、図１に示すように、発電機１９から入力される交流電力の発電機電圧を検出する発電機電圧検出器３８と、バッテリ４に充電する充電電圧を検出する充電電圧検出器３９とを有している。これらの電圧検出器３８・３９は、演算処理部５１に接続されており、検出した電圧をそれぞれ演算処理部５１に出力する。
【００２７】
また、上記の充電制御駆動部４５と同様に演算処理部５１に接続されたインバータＯＮ／ＯＦＦ駆動部４６は、インバータ５に接続されている。インバータ５は、バッテリ４に充電された直流電力を例えば家庭用の交流電力に変換して外部負荷６に出力する出力機能と、インバータＯＮ／ＯＦＦ駆動部４６からの信号により出力機能の作動および停止を切替える機能とを有している。
【００２８】
さらに、演算処理部５１に接続された操作表示入出力部４７は、操作表示器３に着脱可能に接続されている。操作表示器３は、７セグメントＬＥＤやＬＣＤ等の表示部６１と表示切替スイッチ６３とを有している。表示部６１は、風力発電装置の動作状態を文字や数値により表示するように構成されている。尚、動作状態とは、風速（回転支持機構１４の回転速度）や発電機電圧、充電電圧（バッテリ電圧）、各部の作動状態等をいう。
【００２９】
表示切替スイッチ６３は、表示部６１における動作状態の表示を手動操作で切替え可能に設定する。また、操作表示器３は、図示しない演算部や記憶部等を備えた制御部を有している。制御部は、操作表示器３自体を制御する機能に加えて、コントローラ２の演算処理部５１に対して所定の動作状態の送信を指示する機能や、演算処理部５１が備えた各種機能の実行を選択する機能等をプログラムの形態で有している。尚、操作表示器３における各機構は、プログラムのソフトウエア的形態に代えてハードウエア的形態で形成されていても良い。尚、操作表示器３は、バッテリ４の充電電圧が設定値未満となったときにインバータ５の出力を停止させる出力停止モードと、常にインバータ５の出力を維持させる出力維持モードとを手動操作で切替え可能に設定するモード切替スイッチを備えていてもよい。
【００３０】
また、コントローラ２の演算処理部５１においても、図示しない演算部や記憶部を有しており、風力発電装置を制御する各種の機能をプログラムの形態で有している。尚、各機能は、プログラムのソフトウエア的形態に代えてハードウエア的形態で形成されていても良い。
【００３１】
即ち、演算処理部５１は、補助充電処理機能や異常運転制動機能、回転増速機能、低電圧充電機能等を有している。補助充電処理機能は、充電電圧検出器３９により検出された充電電圧を監視し、充電電圧が第１所定値未満となったときに、補助充電器７によるバッテリ４への補助電力の充電を許可する機能である。
【００３２】
異常運転制動機能は、正常運転時に短絡制動装置２１の短絡用リレー２２に通電して開状態とすることにより発電機１９の交流電力をブリッジダイオード３３に供給可能にし、異常運転により通電が停止したときに発電機１９の出力を短絡させることにより発電機１９に制動力を発生させる機能である。回転増速機能は、風力の低下により回転支持機構１４の回転速度が第２所定値未満となったときに、回転軸クラッチ１６の連結状態を解放して第１回転軸部材１５のみを回転自在にし、第１回転軸部材１５の回転速度が一定以上にまで増速したときに回転軸クラッチ１６の連結状態を回復させる機能である。
【００３３】
低電圧充電機能は、回転支持機構１４の回転速度が第３所定値以上のときは充電制御部３６をＯＮ状態とＯＦＦ状態とに切替える充電制御を行い、回転速度が第３所定値未満に低下したときに、充電制御部３６をＯＮ状態に維持する機能である。
【００３４】
次に、上記の構成において、風力発電装置の動作について説明する。
【００３５】
一般的な運転停止時においては、図２に示すように、無励磁作動型の回転軸クラッチ１６に対する通電が停止されることによって、回転軸クラッチ１６が強固な連結状態とされる。これにより、回転支持機構１４の第１回転軸部材１５と第２回転軸部材１７とが回転軸クラッチ１６により一体化される。また、短絡制動装置２１の短絡用リレー２２に対する通電が停止されることによって、発電機１９が短絡状態にされる。これにより、発電機１９の作動に大きな負荷を要する状態にされる。この結果、風により大きな回転駆動力が回転支持機構１４に付与された場合でも、回転支持機構１４が発電機１９を高速で回転させて作動させる程、大きな負荷が回転支持機構１４の回転に対する制動力として作用することによって、回転支持機構１４の高速の回転が禁止される。
【００３６】
さらに、強風時や点検時等のように特別の運転停止時においては、停止装置２０におけるブレーキ力を発生させる。そして、回転支持機構１４の第２回転軸部材１７を固定することによって、回転支持機構１４の回転を完全に停止させる。
【００３７】
次に、運転時においては、必要に応じて操作表示器３がコントローラ２に接続された後、コントローラ２および操作表示器３に電源が投入される。コントローラ２においては、回転軸クラッチ１６に通電を開始する。これにより、回転軸クラッチ１６の連結状態が解除され、第１回転軸部材１５が第２回転軸部材１７から切り離される。これにより、第１回転軸部材１５が第２回転軸部材１７に対して回転自在な状態になるため、風車羽根１２に弱い風が当たっただけでも、第１回転軸部材１５が急速に回転速度を増大させることが可能になる。また、短絡制動装置２１に通電されることによって、発電機１９の短絡状態が解除され、発電機１９で発電された交流電力がコントローラ２に供給可能にされる。一方、操作表示器３においては、制御部３１の動作状態、即ち、例えば第１回転軸部材１５の回転速度が数値等で表示される。
【００３８】
次に、コントローラ２は、演算処理部５１において補助充電処理機能や異常運転制動機能、回転増速機能、低電圧充電機能等を発揮するように動作する。
【００３９】
（回転増速機能）
具体的には、第１回転軸部材１５の回転速度が監視される。そして、回転速度が第２所定値に一定値を加えた回転速度以上となったときに、回転軸クラッチ１６への通電が停止されることにより回転軸クラッチ１６の連結状態が回復される。この結果、第１回転軸部材１５のイナーシャが働くことによって、第１回転軸部材１５と第２回転軸部材１７との一体化した回転支持機構１４が比較的に高速で回転する。そして、この回転支持機構１４の回転駆動力が発電機１９を作動させ、高電圧の交流電力がコントローラ２に供給される。
【００４０】
また、風が弱い場合は、発電機１９を作動させるときの負荷により回転支持機構１４の回転速度が減少する。回転速度が第２所定値未満に減少したときは、回転軸クラッチ１６の通電が再開され、回転軸クラッチ１６の連結状態を解放して第１回転軸部材１５のみが回転自在にされる。そして、弱い風でも第１回転軸部材１５が短時間で増速可能な状態とされ、回転速度が一定以上にまで増速したときに、回転軸クラッチ１６の連結状態が回復されることによって、発電機１９の発電が再開される。これにより、弱い風の場合でも、間欠的に高電圧の交流電力をコントローラ２に供給することができる。
【００４１】
（低電圧充電機能）
上記のようにしてコントローラ２に供給された交流電力は、ブリッジダイオード３３において全波整流された後、充電コンデンサ３４、ダイオード３５およびコイル３７からなる平滑回路で平滑化され、バッテリ４に充電される。そして、バッテリ４に充電された電力がコントローラ２の電源として利用されると共に、インバータ５において交流電力に変換された後、外部負荷６の電源として利用される。
【００４２】
この際、バッテリ４に充電される充電電圧および充電電流は、充電制御部３６により制御されている。即ち、回転支持機構１４の回転速度が第３所定値以上のときは、バッテリ４の定格電圧に対して大幅に高圧な充電電圧で充電されると判断され、充電電圧を低下させるように充電制御部３６をＯＮ状態とＯＦＦ状態とに切替える充電制御が行われる。一方、回転速度が第３所定値未満に低下したときは、バッテリ４の定格電圧に近い充電電圧で充電されると判断され、大きな充電電流でバッテリ４の充電を行うように、充電制御部３６をＯＮ状態に維持する充電制御が行われる。
【００４３】
（補助充電処理機能）
また、バッテリ４への充電中においては、充電電圧検出器３９により検出された充電電圧が監視される。充電電圧が第１所定値未満となったときに、補助充電器７によるバッテリ４への補助電力の充電が許可される。
【００４４】
（異常運転制動機能）
また、図３を参照しつつ、風力発電装置が正常に運転されなくなった場合についての動作について説明する。まず、Ｓ３０１では、短絡制動装置２１がコントローラ２から信号を受信したか否かを判断する。部品の消耗や破損等の異常によりコントローラ２が緊急停止した場合には、風力発電装置本体１等に出力中の全ての信号出力が停止する。コントローラ２からの信号を受信していない場合（Ｓ３０１：Ｎｏ）、つまり、風力発電装置が故障等で作動していない場合は、Ｓ３０２に移行して、短絡制動装置２１をＯＦＦにする。つまり、短絡制動装置２１の短絡用リレー２２へ通電されない状態、即ち短絡用リレー２２が閉状態となることによって、発電機１９の出力側を短絡する。
【００４５】
これにより、Ｓ３０３に移行して、発電機１９がＯＦＦとなり、発電機１９には大きな負荷が発生することにより、風車羽根１２の回転を停止させる（Ｓ３０４）。その後、再びＳ３０１に戻る。
【００４６】
Ｓ３０１で、コントローラ２からの信号を受信している場合（Ｓ３０１：Ｙｅｓ）、つまり、風力発電装置が正常に運転している場合、Ｓ３０５に移行して、短絡制動装置２１がＯｎとなっているか否かを判断する。短絡制動装置２１がＯｎの場合、つまり、短絡制動装置２１の短絡用リレー２２へ通電されている場合、Ｓ３０１に戻る。
【００４７】
短絡制動装置２１の短絡用リレー２２へ通電されている場合は、短絡用リレー２２は開状態になっており、発電機１９の交流電力がブリッジダイオード３３等の整流部３２に供給され、バッテリ４への充電が行われる
【００４８】
短絡制動装置２１がＯｎでない場合（Ｓ３０５：Ｎｏ）、つまり、短絡制動装置２１の短絡用リレー２２へ通電されていない場合、Ｓ３０６に移行し、短絡制動装置２１をＯｎにする。つまり、短絡制動装置２１の短絡用リレー２２へ通電し、短絡用リレー２２が開状態となる。これにより、Ｓ３０７に移行し、発電機１９がＯｎとなり、風車羽根１２が回転し始める（Ｓ３０８）。その後、Ｓ３０１に戻る。発電機１９がＯｎとなることで、発電機１９の交流電力がブリッジダイオード３３等の整流部３２に供給され、バッテリ４への充電が行われる。
【００４９】
また、風力発電装置本体１においては、無励磁作動型の回転軸クラッチ１６に対する通電が停止されることによって、回転軸クラッチ１６が強固な連結状態とされる。これにより、回転支持機構１４の第１回転軸部材１５と第２回転軸部材１７とが回転軸クラッチ１６により一体化される。そして、短絡状態の発電機１９による大きな負荷により回転支持機構１４の回転速度が急速に減速される。
【００５０】
以上のように、本実施の形態の電源装置は、自然エネルギーを運動エネルギーに変換して駆動力を発生する駆動力発生手段（風車１１）と、駆動力発生手段の駆動力により作動して発電する発電手段（発電機１９）と、発電手段の出力側に設けられ、異常時に前記発電手段の出力側を短絡状態に切り替える短絡手段（短絡制動装置２１）とを有した構成にされている。
【００５１】
ここで、外部負荷６の各種機器は、風力発電装置のコントローラ２や外部負荷６の冷蔵庫等の電動機器、電灯やエアコン等の光熱機器等を含むものである。自然エネルギーは、風力、太陽電池、水力、波力等の自然界に存在するエネルギーを含むものである。
【００５２】
以上、説明したように、本実施の形態は、部品の消耗や破損等の異常によりコントローラ２が緊急停止した場合には、風力発電装置本体１等に出力中の全ての信号出力が停止する。このため、コントローラ２が停止した場合、短絡制動装置２の短絡用リレー２２への通電が停止するため、発電機１９に大きな負荷がかかることで、回転羽根１２の回転を停止させることができる。これにより、強風時に風力発電装置本体１が故障した場合であっても、回転羽根１２を安全に停止させることが可能となる。また、停止装置２０をさらに設けることで、より安全に回転羽根１２を停止させることができる。
【００５３】
また、本発明を好適な実施の形態に基づいて説明したが、本発明はその趣旨を超えない範囲において変更が可能である。
【００５４】
即ち、上述の実施の形態では、コントローラの短絡駆動部が短絡制動装置の短絡用リレーに信号を出力するようにしているが、これに限定されない。例えば、コントローラの異常時だけでなく、回転クラッチの異常時に発電機を短絡状態にするようにしてもよい。また、発電機の出力側を短絡させる手段として短絡用リレーを用いているが、半導体スイッチなどを用いて短絡するようにしてもよい。さらに、短絡制動装置の短絡用リレーは、３つのリレー接点を有しており、発電機の三相交流の各端子にそれぞれ接続されているが、発電機１９の２つ端子を、リレー接点を介して短絡するようにしてもよい。この場合は、２つのリレー接点が必要となる。また、上述の実施の形態では、風力を利用した発電装置について説明しているが、水力を利用した発電装置であってもよいし、他の自然エネルギーを利用したものであってもよい。さらに、風車を回転させて、自然エネルギーを運動エネルギーに変換しているが、上下するピストン等の部材を用いて、エネルギーを変換するようにしてもよい。
【００５５】
また、本実施形態における各機能を実現するプログラムは、記憶部のＲＯＭに予め読み出し専用に書き込まれていても良いし、ＣＤ等の記録媒体に記録されたものが必要時に読み出されて記憶部に書き込まれても良いし、さらにはインターネット等の電気通信回線を介して伝送されて記憶部に書き込まれても良い。
【００５６】
本発明は、上記の好ましい実施形態に記載されているが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【図面の簡単な説明】
【００５７】
【図１】本発明の好適な実施の形態に係る風力発電装置のブロック図である。
【図２】本発明の好適な実施の形態に係る風力発電装置の全体構成を示す図である。
【図３】短絡制動装置の動作についてのフローチャートである。
【符号の説明】
【００５８】
１    風力発電装置本体
２    コントローラ
３    操作表示器
４    バッテリ
５    インバータ
６    外部負荷
７    補助充電器
１１    風車
１２    回転羽根
１３    旋回支持部材
１４    回転支持機構
１５    第１回転軸部材
１６    回転軸クラッチ
１７    第２回転軸部材
１８    回転速度検出器
１９    発電機
２０    停止装置
３１    制御部
３２    整流部
３３    ブリッジダイオード
３４    充電コンデンサ
３５    ダイオード
３６    充電制御部
３７    コイル
３８    発電機電圧検出器
３９    充電電圧検出器
４１    入力部
４２    クラッチ駆動部
４３    短絡駆動部
４４    補助充電作動部
４５    充電制御駆動部
４６    インバータＯＮ／ＯＦＦ駆動部
４７    操作表示入出力部
６１    表示部
６３    表示切替えスイッチ
７１    電源
８０    補助充電器
【図１】
0004686969.tif 000002
【図２】
0004686969.tif 000003
【図３】
0004686969.tif 000004